(57)【要約】【課題】撮影機器に保存されたコンテンツから互いに関連付けられたコンテンツの存在をユーザに容易に把握させることができるサムネイル表示装置およびサムネイル表示方法を提供する。【解決手段】制御部１１は、サムネイル表示装置１に接続された複数の撮影機器Ａ，Ｂ，…に保存されたコンテンツの撮影日時情報に基づいて複数のコンテンツを互いに関連付け、関連付けられた複数のコンテンツからなるグループごとにコンテンツのサムネイル画像を表示する一覧表示画面を表示部９に表示させ、１つのグループに動画コンテンツと静止画コンテンツとが含まれる場合、動画コンテンツのサムネイル画像と静止画コンテンツのサムネイル画像とを合成表示させる。【選択図】図１
2011060203.tif 000002
【特許請求の範囲】
【請求項１】
コンテンツの画像をサムネイル表示するサムネイル表示装置であって、
前記サムネイル表示装置に接続された複数の撮影機器に保存されたコンテンツの撮影日時を示す撮影日時情報を取得する情報取得手段と、
前記撮影日時情報に基づいて、前記複数の撮影機器に保存された複数のコンテンツを互いに関連付ける関連付け手段と、
前記関連付け手段で互いに関連付けられた複数のコンテンツからなるグループごとに設けられる、グループ内のコンテンツのサムネイル画像を表示するサムネイル表示領域を有する一覧表示画面を表示部に表示させる表示制御手段とを備え、
前記表示制御手段は、１つのグループに動画コンテンツと静止画コンテンツとが含まれる場合、そのグループに対応する前記サムネイル表示領域に動画コンテンツのサムネイル画像と静止画コンテンツのサムネイル画像とを合成表示することを特徴とするサムネイル表示装置。
【請求項２】
前記表示制御手段は、各グループに含まれるコンテンツの数をそれぞれに対応する前記サムネイル表示領域に表示させる際に、動画コンテンツと静止画コンテンツとを含むグループに対応する前記サムネイル表示領域には、動画コンテンツの数と静止画コンテンツの数とを個別に表示させることを特徴とする請求項１に記載のサムネイル表示装置。
【請求項３】
前記表示制御手段は、各グループのうち選択されたグループに含まれる各コンテンツのサムネイル画像を、前記選択されたグループに対応する前記サムネイル表示領域に順次切り替えて表示させる際に、前記選択されたグループが動画コンテンツと静止画コンテンツとを含む場合、前記サムネイル表示領域に動画コンテンツおよび静止画コンテンツのサムネイル画像をそれぞれ順次切り替えて表示させることを特徴とする請求項１または２に記載のサムネイル表示装置。
【請求項４】
サムネイル表示装置に接続された複数の撮影機器に保存されたコンテンツの撮影日時を示す撮影日時情報を取得し、
前記撮影日時情報に基づいて、前記複数の撮影機器に保存された複数のコンテンツを互いに関連付けし、
互いに関連付けられた複数のコンテンツからなるグループごとに設けられる、グループ内のコンテンツのサムネイル画像を表示するサムネイル表示領域を有する一覧表示画面を表示部に表示し、
動画コンテンツと静止画コンテンツとが含まれるグループに対応する前記サムネイル表示領域には、動画コンテンツのサムネイル画像と静止画コンテンツのサムネイル画像とを合成表示する
ことを特徴とするサムネイル表示方法。
【発明の詳細な説明】
【技術分野】
【０００１】
本発明は、撮影機器に保存された動画や静止画のコンテンツの画像をサムネイル表示するサムネイル表示装置およびサムネイル表示方法に関する。
【背景技術】
【０００２】
現在、ＵＳＢ（Universal Serial Bus）マスストレージクラスに対応している製品が急速に普及している。デジタルカメラやデジタルビデオカメラ等の撮影機器にもＵＳＢマスストレージクラスに対応している製品が多く、このような撮影機器を例えばパーソナルコンピュータ（ＰＣ）に接続することで、撮影機器内の画像等を扱うことができるようになる。また、デジタルテレビ等でも、ＵＳＢ接続した撮影機器内の写真等のコンテンツをテレビの画面で再生できるような製品がある。
【０００３】
デジタルカメラやデジタルビデオカメラ等の撮影機器では、動画、静止画の両方を撮影できる製品が主流であり、１つの撮影機器に動画コンテンツと静止画コンテンツとが保存されていることがある。
【０００４】
そして、１つまたは複数の撮影機器に保存されている複数のコンテンツ（動画コンテンツ、静止画コンテンツ）のなかに、同じ時間帯に撮影したコンテンツが含まれていることがある。例えば、ビデオカメラにおいて動画を撮影している途中で静止画を撮影する場合や、複数人で旅行に行ったときに、一人がビデオカメラで動画を撮影し、その撮影中に他の人がデジタルカメラで静止画を撮影する場合等がある。
【０００５】
このように同じ時間帯に撮影したという関連のある複数のコンテンツが撮影機器に保存されている場合に、それら関連のあるコンテンツを簡単に再生するための技術が特許文献１に提案されている。
【０００６】
特許文献１では、撮影機器内のコンテンツを再生装置に蓄積し、蓄積したコンテンツから選択されたコンテンツの再生中に、他のコンテンツから再生中のコンテンツと撮影時間帯に重複する部分があるコンテンツを検出して再生中のコンテンツと関連付け、その結果をユーザに通知し、ユーザが再生しているコンテンツを切り替えることができるようしている。
【先行技術文献】
【特許文献】
【０００７】
【特許文献１】特開２００６−２６０１７８号公報
【発明の概要】
【発明が解決しようとする課題】
【０００８】
しかし、特許文献１では、コンテンツの再生中に撮影時間帯が重複するコンテンツの有無を検出するので、ユーザは、一度適当なコンテンツを再生してみなければ重複するコンテンツが存在するか否かが分からなかった。
【０００９】
本発明は上記に鑑みてなされたもので、撮影機器に保存されたコンテンツから互いに関連付けられたコンテンツの存在を容易にユーザに把握させることができるサムネイル表示装置およびサムネイル表示方法を提供することを目的とする。
【課題を解決するための手段】
【００１０】
上記目的を達成するため、請求項１に係るサムネイル表示装置は、コンテンツの画像をサムネイル表示するサムネイル表示装置であって、前記サムネイル表示装置に接続された複数の撮影機器に保存されたコンテンツの撮影日時を示す撮影日時情報を取得する情報取得手段と、前記撮影日時情報に基づいて、前記複数の撮影機器に保存された複数のコンテンツを互いに関連付ける関連付け手段と、前記関連付け手段で互いに関連付けられた複数のコンテンツからなるグループごとに設けられる、グループ内のコンテンツのサムネイル画像を表示するサムネイル表示領域を有する一覧表示画面を表示部に表示させる表示制御手段とを備え、前記表示手段は、１つのグループに動画コンテンツと静止画コンテンツとが含まれる場合、そのグループに対応する前記サムネイル表示領域に動画コンテンツのサムネイル画像と静止画コンテンツのサムネイル画像とを合成表示することを特徴とする。
【００１１】
請求項２に係るサムネイル表示装置は、請求項１に記載のサムネイル表示装置において、前記表示制御手段は、各グループに含まれるコンテンツの数をそれぞれに対応する前記サムネイル表示領域に表示させる際に、動画コンテンツと静止画コンテンツとを含むグループに対応する前記サムネイル表示領域には、動画コンテンツの数と静止画コンテンツの数とを個別に表示させることを特徴とする。
【００１２】
請求項３に係るサムネイル表示装置は、請求項１または２に記載のサムネイル表示装置において、前記表示制御手段は、各グループのうち選択されたグループに含まれる各コンテンツのサムネイル画像を、前記選択されたグループに対応する前記サムネイル表示領域に順次切り替えて表示させる際に、前記選択されたグループが動画コンテンツと静止画コンテンツとを含む場合、前記サムネイル表示領域に動画コンテンツおよび静止画コンテンツのサムネイル画像をそれぞれ順次切り替えて表示させることを特徴とする。
【００１３】
請求項４に係るサムネイル表示方法は、サムネイル表示装置に接続された複数の撮影機器に保存されたコンテンツの撮影日時を示す撮影日時情報を取得し、前記撮影日時情報に基づいて、前記複数の撮影機器に保存された複数のコンテンツを互いに関連付けし、互いに関連付けられた複数のコンテンツからなるグループごとに設けられる、グループ内のコンテンツのサムネイル画像を表示するサムネイル表示領域を有する一覧表示画面を表示部に表示し、動画コンテンツと静止画コンテンツとが含まれるグループに対応する前記サムネイル表示領域には、動画コンテンツのサムネイル画像と静止画コンテンツのサムネイル画像とを合成表示することを特徴とする。
【発明の効果】
【００１４】
本発明によれば、撮影機器に保存されたコンテンツから互いに関連付けられたコンテンツの存在をユーザに容易に把握させることができる。
【図面の簡単な説明】
【００１５】
【図１】本発明の実施の形態に係るサムネイル表示装置の構成を示すブロック図である。
【図２】コンテンツ情報の内容の一例を示す図である。
【図３】関連付けの一例を説明するための図である。
【図４】関連付け情報の内容の一例を示す図である。
【図５】一覧表示画面の一例を示す図である。
【図６】グループを再生して表示する際の各コンテンツの表示時間帯を時間軸上に表した一例を示す図である。
【図７】グループを再生して表示する際の各コンテンツの表示画面サイズを時間軸上に表した一例を示す図である。
【図８】図７の各時間帯における表示画面の映像の遷移の様子を示す図である。
【図９】グループをして表示する際の各コンテンツの表示画面サイズを時間軸上に表した他の例を示す図である。
【図１０】図９の各時間帯における表示画面の映像の遷移の様子を示す図である。
【発明を実施するための形態】
【００１６】
以下、本発明の実施の形態について、図面を参照して説明する。
【００１７】
図１は、本発明の実施の形態に係るサムネイル表示装置の構成を示すブロック図である。図１に示すように本実施の形態に係るサムネイル表示装置１は、接続機器制御部２と、データ解析部３と、コンテンツ情報記憶部４と、デマルチプレクサ５と、映像デコーダ６と、音声デコーダ７と、映像合成部８と、表示部９と、音声出力部１０と、制御部１１と、操作入力部１２とを備える。
【００１８】
サムネイル表示装置１は、ＵＳＢケーブル等の公知の接続手段により、複数の撮影機器Ａ，Ｂ，…と同時に接続可能に構成されている。
【００１９】
撮影機器Ａ，Ｂ，…は、デジタルカメラ、デジタルビデオカメラ等からなり、それぞれ動画および静止画を撮影し、撮影したコンテンツを保存する機能を有している。また、撮影機器Ａ，Ｂ，…は、時計を有し、これにより得られるコンテンツの撮影日時を示す撮影日時情報をコンテンツのファイルに埋め込む機能を有する。動画の撮影時においては、撮影機器Ａ，Ｂ，…は、撮影開始時刻と撮影終了時刻とを撮影日時情報として撮影中の動画コンテンツのファイルに埋め込む。
【００２０】
接続機器制御部２は、撮影機器Ａ，Ｂ，…がサムネイル表示装置１に接続されると、撮影機器Ａ，Ｂ，…を認識し、撮影機器Ａ，Ｂ，…がサムネイル表示装置１に接続されたことをデータ解析部３に通知する。
【００２１】
データ解析部３は、接続機器制御部２を介して、サムネイル表示装置１に接続されている撮影機器Ａ，Ｂ，…に保存されたコンテンツにアクセスし、コンテンツのファイルデータを解析して、コンテンツを再生するためのファイルパス情報、および上述の撮影日時情報を検出する。
【００２２】
また、データ解析部３は、コンテンツをユニークに管理するためのコンテンツＩＤをコンテンツごとに割り振り、上記ファイルパス情報、撮影日時情報、当該コンテンツを保存している撮影機器を示す撮影機器情報、および当該コンテンツが動画コンテンツであるか静止画コンテンツであるかを示す種類情報をコンテンツごとに対応させて、コンテンツ情報としてコンテンツ情報記憶部４に記憶する。コンテンツ情報記憶部４に記憶されるコンテンツ情報の内容の一例を図２に示す。
【００２３】
コンテンツ情報記憶部４は、上述のコンテンツ情報、および後述の関連付け情報を記憶するメモリである。
【００２４】
デマルチプレクサ５は、動画コンテンツのコンテンツデータから圧縮された映像データと圧縮された音声データとを取り出し、圧縮された映像データを映像デコーダ６に出力し、圧縮された音声データを音声デコーダ７に出力する。
【００２５】
映像デコーダ６は、デマルチプレクサ５から入力される圧縮された映像データを復号し、復号された映像データを映像合成部８に出力する。
【００２６】
音声デコーダ７は、デマルチプレクサ５から入力される圧縮された音声データを復号し、復号された音声データを音声出力部１０に出力する。
【００２７】
映像合成部８は、映像デコーダ６で復号された映像データ、または制御部１１で生成されたメニュー画面や後述の一覧表示画面２０等のＧＵＩデータのいずれかを選択して表示部９に出力するか、あるいは映像データとＧＵＩデータとを合成して表示部９に出力する。また、映像合成部８は、複数のコンテンツを同時に表示する場合は、複数の映像データを合成し、合成した映像データを表示部９に出力する。
【００２８】
表示部９は、液晶ディスプレイ等からなり、映像合成部８から入力される映像データに基づいて映像を表示する。
【００２９】
音声出力部１０は、スピーカ等からなり、音声デコーダ７から入力される音声データに基づいて音声を出力する。
【００３０】
制御部１１は、コンテンツ情報記憶部４に記憶されたコンテンツ情報に基づいて、撮影機器Ａ，Ｂ，…に保存されたコンテンツの関連付けを行い、関連づけられたコンテンツの対応を示す関連付け情報をコンテンツ情報記憶部４に記憶する。また、制御部１１は、サムネイル表示装置１に設けられた各部を統括的に制御する。
【００３１】
操作入力部１２は、ユーザの操作を受け付け、操作に基づく操作信号を制御部１１に出力する。
【００３２】
次に、サムネイル表示装置１の動作について説明する。
【００３３】
サムネイル表示装置１に撮影機器Ａ，Ｂ，…が接続されると、接続機器制御部２は、撮影機器Ａ，Ｂ，…がサムネイル表示装置１に接続されたことをデータ解析部３に通知する。
【００３４】
接続機器制御部２からの通知を受けると、データ解析部３は、接続機器制御部２を介して撮影機器Ａ，Ｂ，…に保存された各コンテンツにアクセスし、各コンテンツのファイルデータを解析して、前述のファイルパス情報、撮影日時情報、撮影機器情報、種類情報を取得する。そして、データ解析部３は、コンテンツＩＤをコンテンツごとに割り振り、図２に示すように、上記の各種情報とともにコンテンツごとに対応させてコンテンツ情報記憶部４に記憶する。
【００３５】
そして、制御部１１は、撮影日時情報に基づいて、撮影機器Ａ，Ｂ，…に保存されたコンテンツの関連付け処理を行う。
【００３６】
関連付けの一例を説明する。図３は、関連付けされたコンテンツの撮影時間帯を時間軸上に表した図である。図３において、動画コンテンツＭ１〜Ｍ４、静止画コンテンツＮ１は、それぞれ撮影機器Ａ，Ｂ，…のいずれかに保存されたコンテンツである。ここで、例えば動画コンテンツＭ１は、撮影開始時刻、撮影終了時刻がそれぞれ時刻ｔ１，ｔ３で撮影時間帯は時刻ｔ１〜ｔ３であり、静止画コンテンツは時刻ｔ８に撮影されたことを示している。
【００３７】
関連付け処理において、制御部１１は、各コンテンツに有効範囲を設定し、この有効範囲に重複する部分があるコンテンツを同じグループとして関連付けする。有効範囲は、図３に示すように、撮影時間帯の前後にそれぞれ長さｔａの有効時間帯１６を付加して設定される。静止画コンテンツＮ１では、撮影時刻ｔ８を中心とする長さ２ｔａの時間帯が有効範囲として設定される。
【００３８】
図３において、動画コンテンツＭ３と動画コンテンツＭ４とは、撮影時間帯に重複はないが、有効範囲に重複があるため、互いに関連付けられる。また、動画コンテンツＭ４は、動画コンテンツＭ１，Ｍ２とは有効範囲に重複がないが、動画コンテンツＭ３と動画コンテンツＭ２とに有効範囲に重複があり、動画コンテンツＭ２と動画コンテンツＭ１とに有効範囲に重複があるため、動画コンテンツＭ４は動画コンテンツＭ１，Ｍ２とも互いに関連付けられる。このような関連付け処理により、グループ内の少なくとも１つの他のコンテンツと有効範囲に重なる部分を有するコンテンツは、そのグループのコンテンツに関連付けされる。
【００３９】
制御部１１は、上記のように関連付けられたコンテンツの対応を示す関連付け情報をコンテンツ情報記憶部４に記憶する。図４は、関連付け情報の内容を示す図である。図４に示すように関連付け情報は、互いに関連付けされた複数のコンテンツからなるグループのグループ名と、各グループ内の各コンテンツのコンテンツＩＤと、動画コンテンツに設定される各グループ内における優先度とを含む。
【００４０】
優先度の設定方法は特に限定されないが、例えばグループ内において撮影開始時刻が早い動画コンテンツほど高い優先度になるように設定してもよいし、関連付け処理後にユーザが設定できるようにしてもよい。この優先度は、後述するように、複数の動画コンテンツの撮影時間帯に重複する時間帯がある場合における各動画コンテンツの表示時間の長さ等を決めるためのものであり、静止画については設定する必要はない。
【００４１】
なお、上記の関連付け処理の説明では、動画コンテンツ、静止画コンテンツともに有効時間帯１６を付加した有効範囲を設定したが、動画コンテンツについては有効時間帯１６を付加せず、撮影時間帯を有効範囲として関連付け処理を行うようにしてもよい。
【００４２】
関連付け処理後、ユーザ操作に基づいて、関連付けられたコンテンツの一覧表示を指示する信号が操作入力部１２を介して入力されると、制御部１１は、映像合成部８により一覧表示画面を表示部９に表示させる。
【００４３】
ここで表示される一覧表示画面の一例を図５に示す。図５に示すように、一覧表示画面２０には、関連付け処理で関連付けられたグループごとに設けられるサムネイル表示部２１が表示される。
【００４４】
サムネイル表示部２１には、対応するグループのコンテンツのサムネイル画像が表示される。動画コンテンツのみからなるグループの場合、制御部１１は、接続機器制御部２を介してグループ内の１つの動画コンテンツの代表画像を保存元の撮影機器から取得し、これをサムネイル表示部２１に表示させる。静止画コンテンツのみからなるグループの場合、制御部１１は、接続機器制御部２を介してグループ内の１つの静止画コンテンツの画像を保存元の撮影機器から取得し、これをサムネイル表示部２１に表示させる。
【００４５】
動画コンテンツと静止画コンテンツとを含むグループの場合、制御部１１は、グループ内の１つの動画コンテンツの代表画像をサムネイル表示部２１に表示させるとともに、グループ内の１つの静止画コンテンツの画像をサムネイル表示部２１内の静止画サムネイル表示部２２に表示させる。このように、サムネイル表示部２１に動画コンテンツのサムネイル画像と静止画コンテンツのサムネイル画像とが合成表示される。
【００４６】
サムネイル表示部２１の一部に設けられるコンテンツ数表示部２３には、対応するグループに含まれるコンテンツ数が表示される。動画コンテンツと静止画コンテンツとを含むグループの場合、動画コンテンツの数と静止画コンテンツの数とを個別に表示するため、コンテンツ数表示部２３には動画コンテンツの数が表示され、静止画サムネイル表示部２２内に設けられる静止画コンテンツ数表示部２４に静止画コンテンツの数が表示される。
【００４７】
サムネイル表示部２１に隣接して設けられる撮影時間帯表示部２５には、対応するグループ内の各動画コンテンツの撮影開始時刻および各静止画コンテンツの撮影時刻のうちの最も早い時刻と、グループ内の各動画コンテンツの撮影終了時刻および各静止画コンテンツの撮影時刻のうちの最も遅い時刻とが表示される。
【００４８】
また、一覧表示画面２０には、再生するグループに対応するサムネイル表示部２１を選択するための選択枠２６が表示される。ユーザは、操作入力部１２を操作して選択枠２６を所望の位置に移動させることによりグループを選択し、決定するための操作を行うことにより、選択したグループの再生の開始を指示することができる。
【００４９】
グループの再生の開始が指示されるまでは、選択枠２６が位置しているサムネイル表示部２１において、対応するグループ内のコンテンツが所定時間ごとに順次切り替えて再生表示される。
【００５０】
動画コンテンツのみからなるグループのサムネイル表示部２１に選択枠２６が位置している場合、グループ内で撮影開始時刻の最も早い動画コンテンツから順次再生され、所定時間ずつサムネイル表示部２１に表示される。
【００５１】
この動画コンテンツのサムネイル再生において、制御部１１は、ファイルパス情報に基づいて、再生対象の動画コンテンツのコンテンツデータを保存元の撮影機器から取得してデマルチプレクサ５に供給するように接続機器制御部２を制御し、デマルチプレクサ５によりコンテンツデータから圧縮された映像データと圧縮された音声データとを取り出し、映像デコーダ６により圧縮された映像データを復号し、音声デコーダ７により圧縮された音声データを復号するように制御する。
【００５２】
そして、制御部１１は、映像デコーダ６で復号された映像データを映像合成部８を介して表示部９に供給してサムネイル表示部２１に映像を表示させるとともに、音声デコーダ７で復号された音声データを音声出力部１０に供給して音声を出力させる。
【００５３】
グループ内のすべての動画コンテンツのサムネイル表示部２１への表示が一巡すると、撮影開始時刻の最も早い動画コンテンツに戻る。
【００５４】
静止画コンテンツのみからなるグループのサムネイル表示部２１に選択枠２６が位置している場合、グループ内で撮影時刻の最も早い静止画コンテンツから順次、所定時間ずつサムネイル表示部２１に表示される。
【００５５】
この静止画コンテンツのサムネイル再生において、制御部１１は、接続機器制御部２を介して再生対象の静止画コンテンツのコンテンツデータを保存元の撮影機器から取得し、映像合成部８を介して表示部９に供給してサムネイル表示部２１に静止画コンテンツの映像を表示させる。グループ内のすべての静止画コンテンツのサムネイル表示部２１への表示が一巡すると、撮影時刻の最も早い静止画コンテンツに戻る。
【００５６】
動画コンテンツと静止画コンテンツとを含むグループのサムネイル表示部２１に選択枠２６が位置している場合、グループ内で撮影開始時刻の最も早い動画コンテンツから順次、所定時間ずつサムネイル表示部２１に表示されるとともに、グループ内の静止画コンテンツが静止画コンテンツ数表示部２４に所定時間ごとに順次切り替えて表示される。この際、動画コンテンツと静止画コンテンツとは、互いに独立したタイミングで再生および表示の切り替えが行われる。
【００５７】
ユーザによる操作入力部１２の操作により、選択枠２６により選択されたグループの再生を開始する指示信号が入力されると、制御部１１は、関連付け情報およびコンテンツ情報を参照し、選択されたグループ内の撮影開始時刻（静止画コンテンツの場合は撮影時刻）が早いコンテンツから順に、撮影時間帯に応じたタイミングで再生および表示を行う。各コンテンツの再生時の動作は上述のサムネイル再生時と基本的に同様であり、再生されたコンテンツの映像は表示部９に全画面表示される。
【００５８】
図６は、図３に示したようなコンテンツからなるグループを再生して表示する際の各コンテンツの表示時間帯を時間軸上に表した図である。なお、動画コンテンツの優先度は、撮影開始時刻順に設定され、高いほうから動画コンテンツＭ１，Ｍ２，Ｍ３，Ｍ４の順であるとする。
【００５９】
図６における時刻Ｔ１（図３における動画コンテンツＭ１の撮影開始時刻ｔ１に対応）に動画コンテンツＭ１の再生および表示を開始し、動画コンテンツＭ１と撮影時間帯が重複する動画コンテンツＭ２の撮影開始時刻ｔ２に対応する時刻Ｔ２になると、制御部１１は、動画コンテンツＭ１の再生を継続しつつ動画コンテンツＭ２の再生を開始するとともに、映像合成部８を制御して表示部９の表示を動画コンテンツＭ１の映像から動画コンテンツＭ２の映像に切り替える。
【００６０】
その後、動画コンテンツＭ１，Ｍ２の撮影時間帯が重複する時間帯が終了する時刻ｔ３に対応する時刻Ｔ６になるまでの間、制御部１１は、動画コンテンツＭ１，Ｍ２を同時に再生しながら、時刻Ｔ３，Ｔ４，Ｔ５において動画コンテンツＭ２，Ｍ１の映像を交互に切り替えて表示させる。時刻Ｔ２〜Ｔ６の重複時間帯においては、制御部１１は、優先度の高い動画コンテンツＭ１の映像を、動画コンテンツＭ２の映像よりも長時間表示させる。
【００６１】
時刻Ｔ６からは、動画コンテンツＭ２，Ｍ３の撮影時間帯が重複する時間帯が開始する時刻ｔ４に対応する時刻Ｔ７になるまで、制御部１１は、動画コンテンツＭ２のみを再生して表示させる。
【００６２】
時刻Ｔ７になると、制御部１１は、動画コンテンツＭ２の再生を継続しつつ動画コンテンツＭ３の再生を開始するとともに、表示部９の表示を動画コンテンツＭ２の映像から動画コンテンツＭ３の映像に切り替える。その後、動画コンテンツＭ２，Ｍ３の撮影時間帯が重複する時間帯が終了する時刻ｔ５に対応する時刻Ｔ９になるまでの間に、制御部１１は、動画コンテンツＭ２，Ｍ３を同時に再生しながら、時刻Ｔ８において動画コンテンツＭ３から動画コンテンツＭ２に映像の表示を切り替える。時刻Ｔ７〜Ｔ９の重複時間帯においては、制御部１１は、優先度の高い動画コンテンツＭ２を、動画コンテンツＭ３よりも長時間表示させる。
【００６３】
時刻Ｔ９からは、制御部１１は、動画コンテンツＭ３の撮影終了時刻ｔ６に対応する時刻Ｔ１０になるまで、動画コンテンツＭ３のみを再生して表示させ、時刻Ｔ１０になると、動画コンテンツＭ４の再生および表示に切り替える。
【００６４】
図３に示したように、動画コンテンツＭ３，Ｍ４は、有効時間帯１６が重複することにより関連付けられており、撮影時間帯は重複していないが、再生時においては、動画コンテンツＭ３，Ｍ４の間をあけずに連続して表示するため、時刻Ｔ１０において動画コンテンツＭ３から動画コンテンツＭ４に再生および表示を切り替える。このように、時刻Ｔ１０は、動画コンテンツＭ３の撮影終了時刻ｔ６とともに動画コンテンツＭ４の撮影開始時刻ｔ７にも対応し、動画コンテンツＭ４の撮影終了時刻ｔ９は時刻Ｔ１３に対応する。
【００６５】
動画コンテンツＭ４の再生および表示中、時刻Ｔ１０から図３における時刻ｔ７〜ｔ８間の時間が経過して、静止画コンテンツＮ１の撮影時刻ｔ８に対応する時刻Ｔ１１になったら、制御部１１は、動画コンテンツＭ４の表示を時刻Ｔ１１〜Ｔ１２の所定時間（例えば数秒間）だけ停止するとともに、静止画コンテンツＮ１の映像を表示部９に全画面表示させる。その後、制御部１１は、時刻Ｔ１２から時刻Ｔ１３まで動画コンテンツＭ４を表示させる。
【００６６】
上述のように、時刻Ｔ２〜Ｔ６、時刻Ｔ７〜Ｔ９の重複時間帯においては、優先度の高い方の動画コンテンツの映像を他方の動画コンテンツの映像よりも長時間表示するが、一方の動画コンテンツの連続表示時間が長くなりすぎると、各動画コンテンツの表示される時間帯が偏ってしまう。このため、重複時間帯においては、１つの動画コンテンツの連続表示時間は所定時間以下とし、それぞれの動画コンテンツが交互に表示されるようにすることが望ましい。これにより、重複する動画コンテンツそれぞれの内容をユーザが把握しやすくなる。ただし、１つの動画コンテンツの連続表示時間が短くなりすぎると、内容が把握しにくくなるため、適切な長さにする。
【００６７】
例えば、時刻Ｔ２〜Ｔ６において、動画コンテンツＭ１，Ｍ２の表示時間の比率を２：１とする場合、時刻Ｔ２〜Ｔ６の全体を単純に２：１に分けると、動画コンテンツＭ１の連続表示時間が長くなりすぎてしまう。そこで、図６に示すように、動画コンテンツＭ１の１回の連続表示時間が長くなりすぎないようにして動画コンテンツＭ１，Ｍ２が交互に表示されるようにし、動画コンテンツＭ１，Ｍ２の表示時間の合計の比率が２：１になるようにする。
【００６８】
また、重複時間帯においては、それ以前に表示していた動画コンテンツとは別の動画コンテンツを先に表示するようにする。例えば、時刻Ｔ２〜Ｔ６の重複時間帯においては、動画コンテンツＭ１，Ｍ２を交互に表示するが、時刻Ｔ２以前に表示していた動画コンテンツＭ１を時刻Ｔ２からも引き続き表示するのではなく、動画コンテンツＭ２を先に表示するように時刻Ｔ２で切り替える。これにより、重複する動画コンテンツがあることをユーザが認識しやすくなる。
【００６９】
なお、表示するコンテンツを切り替える際には、フェードイン、フェードアウト等のエフェクトを入れることが望ましい。これにより、内容が似ているコンテンツ間の切り替え時においても、コンテンツが切り替わったことをユーザが認識しやすくなる。
【００７０】
上記の例では、撮影時間帯が重複する動画コンテンツが２つである場合を示したが、３つ以上が重複している場合でも同様に、重複時間帯において、各動画コンテンツを順次表示し、各動画コンテンツの表示時間が優先度に応じた長さになるようにする。重複時間帯が短い場合、その重複時間帯においては優先度が最も高いコンテンツのみを表示するようにしてもよい。また、静止画コンテンツの撮影時刻に複数の動画コンテンツの撮影時間帯が重複していても、静止画コンテンツを所定時間だけ表示する。
【００７１】
上記説明のように本実施の形態によれば、撮影機器Ａ，Ｂ，…に保存されたコンテンツから撮影日時により関連付けられたグループごとにコンテンツのサムネイル画像を表示する一覧表示画面２０を表示することで、ユーザは、関連付けられたコンテンツの存在を容易に把握することができる。
【００７２】
また、互いに関連付けられたコンテンツからなるグループを再生して表示する際、複数のコンテンツの重複時間帯においては、重複する各コンテンツを順次表示するので、ユーザは各コンテンツの内容を容易に把握することができる。また、重複時間帯において、優先度の高いコンテンツほど長時間表示するので、ユーザは重要なコンテンツほど長く視聴することができる。
【００７３】
なお、重複時間帯において、重複する各コンテンツの映像を表示部９にサイズ分割して画面表示するようにしてもよい。
【００７４】
この場合において、図３に示したようなコンテンツからなるグループを再生して表示する際の各コンテンツの表示画面サイズを時間軸上に表した図を図７に示す。ここでは、重複時間帯においては大きさの異なる２画面で表示する場合を示す。図７において、時刻Ｔ１〜Ｔ１３は、図６と同様の時刻である。また、図７における各時間帯で表示部９に表示される表示画面３０の映像の遷移の様子を図８に示す。
【００７５】
制御部１１は、時刻Ｔ１に動画コンテンツＭ１の再生および表示を開始し、動画コンテンツＭ１の映像を表示部９に全画面表示させる。時刻Ｔ２になると、制御部１１は、動画コンテンツＭ１の再生を継続しつつ動画コンテンツＭ２の再生を開始し、映像合成部８により動画コンテンツＭ１，Ｍ２の映像を合成し、動画コンテンツＭ２の映像を大画面、動画コンテンツＭ１の映像を小画面とした２画面の映像を表示部９に表示させる。
【００７６】
時刻Ｔ２〜Ｔ６の重複時間帯においては、制御部１１は、図８に示すように、動画コンテンツＭ２，Ｍ１の間で大画面表示する動画コンテンツを切り替える。この際、図７に示すように、優先度の高い動画コンテンツＭ１を、動画コンテンツＭ２よりも長時間、大画面表示させる。
【００７７】
以降については説明を省略するが、図８に示すように表示画面３０に表示される映像が遷移する。つまり、時刻Ｔ２〜Ｔ６、時刻Ｔ７〜Ｔ９、時刻Ｔ１１〜Ｔ１２において、図６の場合では表示されないコンテンツが小画面表示され、図６の場合で表示されるコンテンツが大画面表示される。各コンテンツの大画面、小画面の表示切り替えのタイミングの決め方は、図６の場合と同様である。
【００７８】
このようにすることで、優先度の高いコンテンツを重視しつつ、ユーザは重複する各コンテンツの内容を把握することができる。
【００７９】
なお、コンテンツの映像の表示サイズを切り替える際には、コンテンツが切り替わったことをユーザが認識しやすくするために、映像のサイズを徐々に変化させることが望ましい。
【００８０】
３つ以上のコンテンツの撮影時間帯が重複している場合、優先度に応じて各コンテンツの映像の表示サイズを段階的に変えてもよいし、最も優先度の高い１つのコンテンツの映像を大画面で表示し、他のコンテンツの映像は、すべて同じサイズの小画面で表示するようにしてもよい。
【００８１】
また、重複時間帯内における画面サイズの切り替えは行わず、重複時間帯においては優先度の高いコンテンツを常に大画面表示するようにしてもよい。この場合において、図３に示したようなコンテンツからなるグループを再生して表示する際の各コンテンツの表示画面サイズを時間軸上に表した図を図９に示す。図９における各時間帯で表示部９に表示される表示画面３０の映像の遷移の様子は図１０のようになる。
【符号の説明】
【００８２】
１  サムネイル表示装置
２  接続機器制御部
３  データ解析部
４  コンテンツ情報記憶部
５  デマルチプレクサ
６  映像デコーダ
７  音声デコーダ
８  映像合成部
９  表示部
１０  音声出力部
１１  制御部
１２  操作入力部
２０  一覧表示画面
２１  サムネイル表示部
２２  静止画サムネイル表示部
２３  コンテンツ数表示部
２４  静止画コンテンツ数表示部
２５  撮影時間帯表示部
２６  選択枠
３０  表示画面
Ａ，Ｂ  撮影機器
【図１】
2011060203.tif 000003
【図２】
2011060203.tif 000004
【図３】
2011060203.tif 000005
【図４】
2011060203.tif 000006
【図５】
2011060203.tif 000007
【図６】
2011060203.tif 000008
【図７】
2011060203.tif 000009
【図８】
2011060203.tif 000010
【図９】
2011060203.tif 000011
【図１０】
2011060203.tif 000012